(57)【要約】本発明の実施例はハイブリッド自動再送フィードバックの取得方法、装置及び通信システムを提供する。該取得方法は、アンライセンスバンドのセカンダリサービングセルで、且つあるアップリンクサブフレームにおいてアップリンクデータを送信するステップと、該アップリンクデータを送信する際に、該アップリンクデータの伝送のフィードバック状態を記録するための変数をＡＣＫに設定するステップと、該アップリンクサブフレームに対応するダウンリンクサブフレームを決定するステップと、該アンライセンスバンドのセカンダリサービングセルで、且つ該アップリンクサブフレームに対応するダウンリンクサブフレームにおいてＰＤＣＣＨを復号し、ＰＨＩＣＨを復号しないステップとを含む。本発明の実施例によれば、ユーザ装置がアンライセンスバンドのサービングセルでアップリンクデータを送信した後に、基地局がＰＨＩＣＨを送信するために必要なサブフレームが他のシステムにより占有されても、ユーザ装置がアップリンク伝送を正しく行うことを確保できる。【選択図】図２
2017536757.tif 000002
【特許請求の範囲】
【請求項１】
ユーザ装置に配置されるハイブリッド自動再送フィードバックの取得装置であって、
アンライセンスバンドのセカンダリサービングセルで、且つあるアップリンクサブフレームにおいてアップリンクデータを送信するデータ送信手段と、
前記アップリンクデータを送信する際に、前記アップリンクデータの伝送のフィードバック状態を記録するための変数をＡＣＫに設定する記録手段と、
前記アップリンクサブフレームに対応するダウンリンクサブフレームを決定するサブフレーム決定手段と、
前記アンライセンスバンドのセカンダリサービングセルで、且つ前記アップリンクサブフレームに対応するダウンリンクサブフレームにおいて物理ダウンリンク制御チャネル（ＰＤＣＣＨ）を復号し、物理ハイブリッド自動再送要求指示チャネル（ＰＨＩＣＨ）を復号しない復号手段と、を含む、取得装置。
【請求項２】
前記ＰＤＣＣＨを復号して前記ユーザ装置をスケジューリングするアップリンクグラントが得られた場合、前記アップリンクグラントにおける指示に従ってアップリンクデータの伝送を決定し、前記ユーザ装置をスケジューリングするアップリンクグラントが得られていない場合、アップリンクデータの伝送を行わないことを決定する伝送決定手段、をさらに含む、請求項１に記載の取得装置。
【請求項３】
前記記録手段は、アップリンクデータの伝送を行わないことが決定された場合、アップリンク再送回数を記録する変数の値、アップリンク再送バージョン番号を記録する変数の値、及び前記アップリンクデータの伝送のフィードバック状態を記録する変数の値をそのまま維持する、請求項１に記載の取得装置。
【請求項４】
基地局に配置されるハイブリッド自動再送フィードバックの取得装置であって、
ユーザ装置がアンライセンスバンドのセカンダリサービングセルにおいてアップリンクデータを送信する場合に前記セカンダリサービングセルの関連セルにおいてアップリンクハイブリッド自動再送のフィードバック情報を取得するように、前記ユーザ装置のために前記アンライセンスバンドのセカンダリサービングセルを構成し、前記ユーザ装置のために前記関連セルを構成する構成手段、を含む、取得装置。
【請求項５】
前記関連セルは、前記アンライセンスバンドのセカンダリサービングセルのスケジューリングセルであり、
前記構成手段は、前記ユーザ装置のために前記アンライセンスバンドのセカンダリサービングセルを構成する際に、前記ユーザ装置のために前記セカンダリサービングセルのスケジューリングセルを構成する、請求項４に記載の取得装置。
【請求項６】
前記スケジューリングセルは、ライセンスバンドにおけるプライマリサービングセル又はライセンスバンドにおけるセカンダリサービングセルである、請求項５に記載の取得装置。
【請求項７】
前記関連セルは、ライセンスバンドのサービングセルである、請求項４に記載の取得装置。
【請求項８】
前記ライセンスバンドのサービングセルは、前記ユーザ装置のプライマリサービングセルであり、或いは
専用シグナリングにより前記ユーザ装置のために前記アンライセンスバンドのセカンダリサービングセルを構成する際に、前記ライセンスバンドのサービングセルは同時に構成される、請求項７に記載の取得装置。
【請求項９】
ユーザ装置により前記アンライセンスバンドのセカンダリサービングセルで、且つあるアップリンクサブフレームにおいて送信されたアップリンクデータを受信するデータ受信手段と、
前記アンライセンスバンドのセカンダリサービングセルにおいて前記アップリンクサブフレームに対応するダウンリンクサブフレームが利用可能であるか否かを判断するサブフレーム判断手段と、
前記アンライセンスバンドのセカンダリサービングセルにおいて前記アップリンクサブフレームに対応するダウンリンクサブフレームが利用可能ではない場合、指示情報を生成する情報生成手段であって、前記指示情報は、ユーザ装置が前記ライセンスバンドのサービングセルで、且つ前記アップリンクサブフレームに対応するダウンリンクサブフレームにおいてハイブリッド自動再送フィードバック情報を受信することを指示するために用いられる、情報生成手段と、
前記ライセンスバンドのサービングセルで、且つ前記アップリンクサブフレームに対応するダウンリンクサブフレームにおいて物理ダウンリンク制御チャネル（ＰＤＣＣＨ）を介して前記指示情報を送信する情報送信手段と、をさらに含む、請求項７に記載の取得装置。
【請求項１０】
前記指示情報は、前記アンライセンスバンドのセカンダリサービングセルのインデックス値、又はセル物理ＩＤを含む、請求項９に記載の取得装置。
【請求項１１】
前記指示情報は、前記ユーザ装置が前記セカンダリサービングセルのインデックス値又は前記セル物理ＩＤに対応するアンライセンスバンドのセカンダリサービングセルの関連セルで、且つ前記アップリンクサブフレームに対応するダウンリンクサブフレームにおいて、ＰＨＩＣＨにおいて伝送された前記アップリンクデータについてのハイブリッド自動再送フィードバック情報を受信する必要があることを指示する、請求項１０に記載の取得装置。
【請求項１２】
前記指示情報は、１ビットの情報である、請求項９に記載の取得装置。
【請求項１３】
前記指示情報は、前記ユーザ装置が、基地局により前記ユーザ装置のために構成されたアンライセンスバンドのセカンダリサービングセルの関連セルで、且つ前記アップリンクサブフレームに対応するダウンリンクサブフレームにおいて、ＰＨＩＣＨにおいて伝送された前記アップリンクデータについてのハイブリッド自動再送フィードバック情報を受信する必要があることを指示する、請求項１２に記載の取得装置。
【請求項１４】
前記指示情報は、新たに定義されたダウンリンク制御情報フォーマットで伝送され、或いは既存のダウンリンク制御情報フォーマットで伝送される、請求項９に記載の取得装置。
【請求項１５】
新たに定義されたダウンリンク制御情報フォーマットで前記指示情報を伝送する場合、前記指示情報は、他の制御情報と同一のダウンリンク制御情報フォーマットを共用し、或いはダウンリンク制御情報フォーマットを単独で用いる、請求項１４に記載の取得装置。
【請求項１６】
前記ＰＤＣＣＨは、共通の無線ネットワーク一時識別子（ＲＮＴＩ）によりスクランブルされ、或いはユーザ装置専用のＲＮＴＩによりスクランブルされる、請求項９に記載の取得装置。
【請求項１７】
請求項１に記載の取得装置が配置されたユーザ装置、又は請求項５に記載の取得装置が配置された基地局、を含む、通信システム。
【発明の詳細な説明】
【技術分野】
【０００１】
本発明は、通信技術の分野に関し、特にハイブリッド自動再送フィードバックの取得方法、装置及び通信システムに関する。
【背景技術】
【０００２】
将来のトラヒックの帯域幅への要求を満たすために、ロングタームエボリューション（ＬＴＥ：Ｌｏｎｇ  Ｔｅｒｍ  Ｅｖｏｌｕｔｉｏｎ）システムにおいてアンライセンスバンド（ｕｎｌｉｃｅｎｓｅｄ  ｂａｎｄ）を用いて通信を行うことは注目されている問題となっている。アンライセンスバンドにおけるサービングセルは、独立したサービングセルとしてユーザ装置（ＵＥ：Ｕｓｅｒ  Ｅｑｕｉｐｍｅｎｔ）の通信のためにユーザ装置に構成してもよいし、ＬＴＥシステムにおけるキャリアアグリゲーション方法又はデュアルコネクティビティ方法を用いてアンライセンスバンドにおけるサービングセルをセカンダリサービングセルとしてユーザ装置に構成してもよく、プライマリサービングセルはライセンスバンドにおけるサービングセルである。プライマリサービングセルの動作方式は、周波数分割複信（ＦＤＤ：Ｆｒｅｑｕｅｎｃｙ  Ｄｉｖｉｓｉｏｎ  Ｄｕｐｌｅｘ）モードであってもよいし、時分割複信（ＴＤＤ：Ｔｉｍｅ  Ｄｉｖｉｓｉｏｎ  Ｄｕｐｌｅｘ）モードであってもよい。同様に、アンライセンスバンドにおけるセカンダリサービングセルもＦＤＤモード又はＴＤＤモードの１つを選択してもよく、ダウンリンクのみであってもよいし、アップリンクとダウンリンク両方が存在してもよい。
【０００３】
従来は、アンライセンスバンドにおけるサービングセルを用いて通信を行うシステム、例えば無線ローカルエリアネットワーク（ＷＬＡＮ：Ｗｉｒｅｌｅｓｓ  Ｌｏｃａｌ  Ａｒｅａ  Ｎｅｔｗｏｒｋ）システムが既に存在している。このため、ＬＴＥシステムの加入は、ＬＴＥシステムと他のシステムとの間、及び異なるＬＴＥ事業者のシステムの間でアンライセンスバンドを公平に利用することを確保する必要がある。この目的を実現するために、ＬＢＴ（ｌｉｓｔｅｎ−ｂｅｆｏｒｅ−ｔａｌｋ）は主な方向である。しかし、ＬＢＴの具体的な実現方法が複数ある。ＬＢＴの基本的な考え方としては、アンライセンスバンドにおけるチャネルを占有して信号を送信する前に、送信側が一定期間でリスニングしなければならない。このリスニングの期間内に該チャネルがずっとアイドル状態にある場合にのみ、送信側は該チャネルで信号を送信する。リスニングの期間内にチャネルに空きがないことが分かった場合、通常、送信側は一定期間で自動的にバックオフしてから、チャネルが利用可能であるか否かをリスニングする必要がある。
【０００４】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００５】
しかしながら、発明者の発見によると、ユーザ装置がアンライセンスバンドのサービングセルにおいてアップリンクデータを送信した後に、ハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）の時間シーケンス関係に従って、一定時間の後に、基地局により物理ＨＡＲＱ指示チャネル（ＰＨＩＣＨ：Ｐｈｙｓｉｃａｌ  ＨＡＲＱ  Ｉｎｄｉｃａｔｏｒ  ＣＨａｎｎｅｌ）を介して送信されたＨＡＲＱフィードバック（ハイブリッド自動再送フィードバックとも称されてもよい）情報を取得する必要がある。
【０００６】
一方、アンライセンスバンドのサービングセルでは、基地局がＰＨＩＣＨを送信するために必要なサブフレームが他のシステムにより占有される可能性があるため、ユーザ装置が所定のサブフレームで正しいＨＡＲＱフィードバック情報を取得できなくなる。
【０００７】
本発明の実施例は、アンライセンスバンドのサービングセルでユーザ装置に正しいＨＡＲＱフィードバック情報を取得させるアップリンクハイブリッド自動再送フィードバックの取得方法、装置及び通信システムを提供する。
【課題を解決するための手段】
【０００８】
本発明の実施例の第１態様では、ユーザ装置に適用されるハイブリッド自動再送フィードバックの取得方法であって、アンライセンスバンドのセカンダリサービングセルで、且つあるアップリンクサブフレームにおいてアップリンクデータを送信するステップと、前記アップリンクデータを送信する際に、前記アップリンクデータの伝送のフィードバック状態を記録するための変数をＡＣＫに設定するステップと、前記アップリンクサブフレームに対応するダウンリンクサブフレームを決定するステップと、前記アンライセンスバンドのセカンダリサービングセルで、且つ前記アップリンクサブフレームに対応するダウンリンクサブフレームにおいて物理ダウンリンク制御チャネル（ＰＤＣＣＨ）を復号し、物理ハイブリッド自動再送要求指示チャネル（ＰＨＩＣＨ）を復号しないステップと、を含む、取得方法を提供する。
【０００９】
本発明の実施例の第２態様では、ユーザ装置に配置されるハイブリッド自動再送フィードバックの取得装置であって、アンライセンスバンドのセカンダリサービングセルで、且つあるアップリンクサブフレームにおいてアップリンクデータを送信するデータ送信手段と、前記アップリンクデータを送信する際に、前記アップリンクデータの伝送のフィードバック状態を記録するための変数をＡＣＫに設定する記録手段と、前記アップリンクサブフレームに対応するダウンリンクサブフレームを決定するサブフレーム決定手段と、前記アンライセンスバンドのセカンダリサービングセルで、且つ前記アップリンクサブフレームに対応するダウンリンクサブフレームにおいて物理ダウンリンク制御チャネル（ＰＤＣＣＨ）を復号し、物理ハイブリッド自動再送要求指示チャネル（ＰＨＩＣＨ）を復号しない復号手段と、を含む、取得装置を提供する。
【００１０】
本発明の実施例の第３態様では、基地局に適用されるハイブリッド自動再送フィードバックの取得方法であって、ユーザ装置がアンライセンスバンドのセカンダリサービングセルにおいてアップリンクデータを送信する場合に前記セカンダリサービングセルの関連セルにおいてアップリンクハイブリッド自動再送のフィードバック情報を取得するように、前記ユーザ装置のために前記アンライセンスバンドのセカンダリサービングセルを構成し、前記ユーザ装置のために前記関連セルを構成するステップ、を含む、取得方法を提供する。
【００１１】
本発明の実施例の第４態様では、基地局に配置されるハイブリッド自動再送フィードバックの取得装置であって、ユーザ装置がアンライセンスバンドのセカンダリサービングセルにおいてアップリンクデータを送信する場合に前記セカンダリサービングセルの関連セルにおいてアップリンクハイブリッド自動再送のフィードバック情報を取得するように、前記ユーザ装置のために前記アンライセンスバンドのセカンダリサービングセルを構成し、前記ユーザ装置のために前記関連セルを構成する構成手段、を含む、取得装置を提供する。
【００１２】
本発明の実施例の第５態様では、第２態様に記載の取得装置が配置されたユーザ装置、又は第４態様に記載の取得装置が配置された基地局、を含む、通信システムを提供する。
【００１３】
本発明の実施例の他の態様では、ユーザ装置においてプログラムを実行する際に、コンピュータに、第１態様に記載のハイブリッド自動再送フィードバックの取得方法を前記ユーザ装置において実行させる、コンピュータ読み取り可能なプログラムを提供する。
【００１４】
本発明の実施例の他の態様では、コンピュータに、第１態様に記載のハイブリッド自動再送フィードバックの取得方法をユーザ装置において実行させるためのコンピュータ読み取り可能なプログラムを記憶する、記憶媒体を提供する。
【００１５】
本発明の実施例の他の態様では、基地局においてプログラムを実行する際に、コンピュータに、第３態様に記載のハイブリッド自動再送フィードバックの取得方法を前記基地局において実行させる、コンピュータ読み取り可能なプログラムを提供する。
【００１６】
本発明の実施例の他の態様では、コンピュータに、第３態様に記載のハイブリッド自動再送フィードバックの取得方法を基地局において実行させるためのコンピュータ読み取り可能なプログラムを記憶する、記憶媒体を提供する。
【００１７】
本発明の実施例の有益な効果としては、ユーザ装置がアンライセンスバンドのサービングセルでアップリンクデータを送信した後に、基地局がＰＨＩＣＨを送信するために必要なサブフレームが他のシステムにより占有されても、ユーザ装置がアップリンク伝送を正しく行うことを確保できる。
【００１８】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１９】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２０】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２１】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２２】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例のアップリンクデータ送信を示す図である。
【図２】本発明の実施例１のＨＡＲＱフィードバックの取得方法の１つのフローチャートである。
【図３】本発明の実施例１のＨＡＲＱフィードバックの取得方法のもう１つのフローチャートである。
【図４】本発明の実施例２のＨＡＲＱフィードバックの取得方法の１つのフローチャートである。
【図５】本発明の実施例３のＨＡＲＱフィードバックの取得方法の１つのフローチャートである。
【図６】本発明の実施例４のＨＡＲＱフィードバックの取得方法の１つのフローチャートである。
【図７】本発明の実施例４のＨＡＲＱフィードバックの取得方法のもう１つのフローチャートである。
【図８】本発明の実施例５のＨＡＲＱフィードバックの取得装置の１つの構成を示す図である。
【図９】本発明の実施例５のユーザ装置のシステム構成を示すブロック図である。
【図１０】本発明の実施例６のＨＡＲＱフィードバックの取得装置の１つの構成を示す図である。
【図１１】本発明の実施例６の基地局の１つの構成を示す図である。
【図１２】本発明の実施例８のＨＡＲＱフィードバックの取得装置のもう１つの構成を示す図である。
【図１３】本発明の実施例８のＨＡＲＱフィードバックの取得装置のもう１つの構成を示す図である。
【図１４】本発明の実施例９の通信システムの１つの構成を示す図である。
【発明を実施するための形態】
【００２３】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２４】
本発明は主にサービングセルのアグリゲーションというシナリオについてのものであり、即ち、基地局はユーザ装置のために１つのライセンスバンドにおけるサービングセルをプライマリサービングセルとして構成し、ゼロ、１つ又は複数のライセンスバンドにおけるサービングセルをセカンダリサービングセルとして構成すると共に、アンライセンスバンドにおける１つ又は複数のサービングセルをセカンダリサービングセルとして構成する。なお、本発明はこれに限定されない。
【００２５】
アンライセンスバンドにおけるセカンダリサービングセルは、アップリンクとダウンリンク両方を有し、且つプライマリサービングセルと同一の複信モードであってもよいし、異なる複信モードであってもよい。共にＴＤＤモードである場合は、アンライセンスバンドにおけるセカンダリサービングセルはプライマリサービングセルと異なるＴＤＤ構成を有してもよい。
【００２６】
基地局及びユーザ装置はアンライセンスバンドのサービングセルで共にＬＢＴメカニズムを採用し、即ち基地局は各ダウンリンクサブフレームにおいてダウンリンク信号（データ及び制御シグナリングを含む）を送信する前に、次のダウンリンクサブフレームチャネルがアイドルであるか否かをまずリスニングする。チャネルがアイドルである場合にのみ、基地局は次のサブフレームにおいてダウンリンクデータを送信する。ユーザ装置も同様なメカニズムに従い、即ちユーザ装置は各アップリンクサブフレームにおいてアップリンク信号（データ及び制御シグナリングを含む）を送信する前に、次のアップリンクサブフレームチャネルがアイドルであるか否かをまずリスニングする。
【００２７】
説明の便宜上、以下は具体的なシナリオを参照しながら本発明が解決しようとする問題点を説明する。
【００２８】
基地局によりユーザ装置のために構成されたアンライセンスバンドのセカンダリサービングセルがＴＤＤモードであり、且つＴＤＤの構成はＣｏｎｆｉｇｕｒａｔｉｏｎ  ３であると仮定する。図１は本発明の実施例のアップリンクデータ送信を示す図であり、図１に示すように、そのフレーム構造はＤＳＵＵＵＤＤＤＤＤである。
【００２９】
図１に示すように、サブフレームｎでは、基地局はＬＢＴにより該サブフレームのチャネルが利用可能であることを発見した。基地局は、該サブフレームにおいて物理ダウンリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）を送信し、ユーザ装置が物理アップリンク共有チャネル（ＰＵＳＣＨ：Ｐｈｙｓｉｃａｌ  Ｕｐｌｉｎｋ  Ｓｈａｒｅｄ  ＣＨａｎｎｅｌ）を送信するようにスケジューリングする。
【００３０】
ユーザ装置が復号により上記ＰＤＣＣＨを取得した後に、例えば参照文献［TS36.213, Evolved Universal Terrestrial Radio Access (E-UTRA),
Physical layer procedures, v12.3.0］に定義されたスケジューリング時間シーケンス関係に従って、ユーザ装置はサブフレームｎ＋４においてＰＵＳＣＨを送信する必要がある。ユーザ装置は、一定期間でリスニングして、サブフレームｎ＋４のチャネルが利用可能であると判断し、サブフレームｎ＋４においてＰＵＳＣＨを送信すると仮定する。
【００３１】
そして、例えば参照文献［TS36.213, Evolved Universal Terrestrial Radio Access (E-UTRA),
Physical layer procedures, v12.3.0］に定義されたＨＡＲＱシーケンス関係に従って、基地局はサブフレームｎ＋８においてＰＨＩＣＨにより上記ＰＵＳＣＨデータのＡＣＫ／ＮＡＣＫ情報をフィードバックする必要がある。しかし、基地局は、リスニングにより、サブフレームｎ＋８が既に他のシステムにより占有されていると発見した。よって、基地局は該サブフレームにおいてＰＨＩＣＨを送信できない。
【００３２】
ユーザ装置は、サブフレームｎ＋４においてＰＵＳＣＨを送信した後に、同様に例えば上記参照文献に定義されたＨＡＲＱ時間シーケンス関係に従って、サブフレームｎ＋８において基地局により送信されたＰＨＩＣＨを復号する。基地局がサブフレームｎ＋８においてＰＨＩＣＨを送信していなくても、従来のメカニズムに基づいて、該ユーザ装置は、基地局がサブフレームｎ＋８においてＰＨＩＣＨを送信していないことを予め知ることができないため、依然として通常のプロセスに従ってｎ＋８の時点においてＰＨＩＣＨ上のフィードバック情報を復号する。このような場合は、ユーザ装置の復号結果は殆どＮＡＣＫである。このように、ユーザ装置は、スケジューリング時間シーケンス関係に従って、次のフレームのサブフレームｎ＋２において非適応アップリンク再送を行う。しかし、該再送が不必要なものである可能性があり、或いはユーザ装置による非適応再送は基地局の意図ではない。
【００３３】
従って、アンライセンスバンドのサービングセルでは、基地局がＰＨＩＣＨを送信するために必要なサブフレームが他のシステムにより占有されている可能性があるため、ユーザ装置は所定のサブフレームで正しいＨＡＲＱフィードバック情報を取得できなくなる。簡単に言えば、本発明が解決しようとする課題は、アンライセンスバンドのサービングセルでは、基地局がＰＨＩＣＨを送信するために必要なサブフレームが他のシステムにより占有されていると、ユーザ装置が次のアップリンク伝送を正しく行うことを確保することである。
【００３４】
なお、以上はＴＤＤモード及びＣｏｎｆｉｇｕｒａｔｉｏｎ  ３を一例にして説明している。しかし、本発明は、これに限定されず、実際の状況に応じてアンライセンスバンドにおけるサービングセルの複信モード、及び複信モードがＴＤＤモードの場合のＴＤＤアップリンクとダウンリンクの構成などを決定してもよい。以下は、本発明の実施例を詳細に説明する。
【００３５】
＜実施例１＞
本発明の実施例は、ユーザ装置側に適用されるＨＡＲＱフィードバックの取得方法を提供する。
【００３６】
図２は本発明の実施例のＨＡＲＱフィードバックの取得方法の１つのフローチャートであり、図２に示すように、該取得方法は以下のステップを含む。
【００３７】
ステップ２０１：ユーザ装置がアンライセンスバンドのセカンダリサービングセルで、且つあるアップリンクサブフレームにおいてアップリンクデータを送信する。
【００３８】
ステップ２０２：該アップリンクデータを送信する際に、該アップリンクデータ伝送のフィードバック状態を記録するための変数をＡＣＫに設定する。
【００３９】
ステップ２０３：該アップリンクサブフレームに対応するダウンリンクサブフレームを決定する。該対応するダウンリンクサブフレームは、アップリンクデータを送信するサブフレーム、及び例えば参照文献［TS36.213, v12.3.0］に定義されたＨＡＲＱ時間シーケンス関係に基づいて決定される。
【００４０】
ステップ２０４：該アンライセンスバンドのセカンダリサービングセルで、且つ該アップリンクサブフレームに対応するダウンリンクサブフレームにおいてＰＤＣＣＨを復号し、ＰＨＩＣＨを復号しない。
【００４１】
具体的には、ユーザ装置がアンライセンスバンドのセカンダリサービングセルでアップリンクデータを送信した後に、該アップリンクデータ伝送のフィードバック状態を記録するための変数をＡＣＫに設定し、該アンライセンスバンドのセカンダリサービングセルで、且つ対応するダウンリンクサブフレームにおいてＰＤＣＣＨをリスニングして復号するが、ＰＨＩＣＨを復号しない。復号の状況に基づいて次の伝送動作、即ち新たなデータを伝送する必要があるか、前回のデータ伝送の適応再送を行うか、それともいずれの伝送を行わないかを判断する。
【００４２】
図３は本発明の実施例のＨＡＲＱフィードバックの取得方法のもう１つのフローチャートであり、図３に示すように、該取得方法は以下のステップを含む。
【００４３】
ステップ３０１：ユーザ装置がアンライセンスバンドのセカンダリサービングセルで、且つあるアップリンクサブフレームにおいてアップリンクデータを送信する。
【００４４】
ステップ３０２：ＨＡＲＱエンティティが該アップリンクデータの送信を要求する際に、該アップリンクデータの伝送のフィードバック状態を記録するための変数をＡＣＫに設定する。
【００４５】
本実施例では、あるアップリンクサブフレームでは、ユーザ装置のＨＡＲＱエンティティがアップリンクＰＵＳＣＨ伝送（例えば新たなデータ伝送であってもよいし、適応再送であってもよい）を要求する場合、ユーザ装置は、該アップリンク伝送のフィードバック状態を記録するための変数（即ち現在のプロトコルにおけるＨＡＲＫ＿ＦＥＥＤＢＡＣＫ）の値をＡＣＫに設定する。
【００４６】
ステップ３０３：該アンライセンスバンドのセカンダリサービングセルで、且つ該アップリンクサブフレームに対応するダウンリンクサブフレームにおいてＰＤＣＣＨをリスニングして復号する。ここで、該対応するダウンリンクサブフレームは、ステップ３０１においてアップリンクデータを送信するサブフレーム、及び例えば参照文献［TS36.213, v12.3.0］に定義されたＨＡＲＱ時間シーケンス関係に基づいて決定される。
【００４７】
本実施例では、例えば参照文献［TS36.213, v12.3.0］に定義されたＨＡＲＱ時間シーケンス関係に基づいて、ユーザ装置は該アップリンクＰＵＳＣＨ伝送に対応するダウンリンクフィードバックの受信サブフレームを決定する。該サブフレームでは、ユーザ装置は該アンライセンスバンドのセカンダリサービングセルにおいてＰＤＣＣＨのみを復号し、ＰＨＩＣＨを復号しない。
【００４８】
ステップ３０４：該ユーザ装置をスケジューリングするアップリンクグラントが得られたか否かを決定する。該ＰＤＣＣＨを復号して該ユーザ装置をスケジューリングするアップリンクグラントが得られた場合、ステップ３０５を実行し、該ＰＤＣＣＨを復号して該ユーザ装置をスケジューリングするアップリンクグラントが得られていない場合、ステップ３０６を実行する。
【００４９】
ステップ３０５：該アップリンクグラントにおける指示に従ってアップリンクデータの伝送を決定する。
【００５０】
ＰＤＣＣＨを復号して該ユーザ装置をスケジューリングするアップリンクグラントが得られた場合、ユーザ装置は、該アップリンクグラントにおける指示に従って、新たなアップリンクデータを送信する必要があるか、それとも前回の伝送で送信されたアップリンクデータの適応再送を行う必要があるかを決定する。
【００５１】
ステップ３０６：次にアップリンクデータ伝送を行わないことを決定し、アップリンク再送回数を記録する変数の値、アップリンク再送バージョン番号を記録する変数の値、及び該アップリンクデータ伝送のフィードバック状態を記録する変数の値をそのまま維持する。
【００５２】
本実施例では、該ユーザ装置をスケジューリングするアップリンクグラントが得られた場合、ユーザ装置はＰＵＳＣＨ伝送を行わないと共に、以下の変数の値をそのまま維持する。
【００５３】
アップリンク再送回数を記録する変数（即ち、現在のプロトコルにおけるＣＵＲＲＥＮＴ＿ＴＸ＿ＮＢ）、
アップリンク再送バージョン番号を記録する変数（即ち、現在のプロトコルにおけるＣＵＲＲＥＮＴ＿ＩＲＶ）及び
該アップリンクデータの伝送のフィードバック状態を記録する変数（即ち、現在のプロトコルにおけるＨＡＲＱ＿ＦＥＥＤＢＡＣＫ）
本実施例によれば、ユーザ装置がアンライセンスバンドのサービングセルでアップリンクデータを送信した後に、該ユーザ装置の該アンライセンスバンドのサービングセルにおいて基地局がＰＨＩＣＨを送信するために必要なサブフレームが他のシステムにより占有されても、ユーザ装置が基地局のフィードバックを正しく受信することを確保できるため、基地局に望まれているアップリンクデータの伝送を行うことができる。
【００５４】
＜実施例２＞
本発明の実施例は基地局側に適用されるＨＡＲＱフィードバックの取得方法を提供する。
【００５５】
図４は本発明の実施例２のＨＡＲＱフィードバックの取得方法の１つのフローチャートであり、図４に示すように、該取得方法は以下のステップを含む。
【００５６】
ステップ４０１：ユーザ装置がアンライセンスバンドのセカンダリサービングセルにおいてアップリンクデータを送信する場合に該セカンダリサービングセルの関連セルにおいてアップリンクハイブリッド自動再送のフィードバック情報を取得するように、基地局は、該ユーザ装置のために該アンライセンスバンドのセカンダリサービングセルを構成し、該ユーザ装置のために該関連セルを構成する。
【００５７】
本実施例では、関連セルは、該セカンダリサービングセルのスケジューリングセルであってもよいし、基地局により構成されたあるライセンスバンドにおけるあるサービングセルであってもよいし、プライマリサービングセルとして固定されてもよい。
【００５８】
本実施例では、ユーザ装置はアンライセンスバンドのセカンダリサービングセルにおいてアップリンクデータを送信し、該セカンダリサービングセルの関連セルにおいてＰＨＩＣＨを受信することで、アップリンクＨＡＲＱのフィードバック情報を正しく取得できる。
【００５９】
＜実施例３＞
本発明の実施例は、実施例２をベースとして、スケジューリングセルを一例にして説明する。
【００６０】
図５は本発明の実施例のＨＡＲＱフィードバックの取得方法の１つのフローチャートであり、図５に示すように、該取得方法は以下のステップを含む。
【００６１】
ステップ５０１：基地局は、ユーザ装置のためにアンライセンスバンドのセカンダリサービングセルを構成すると共に、ユーザ装置のために該アンライセンスバンドのセカンダリサービングセルのスケジューリングセルを構成する。
【００６２】
ステップ５０２：基地局は、ユーザ装置が該アンライセンスバンドのセカンダリサービングセルでアップリンクデータを送信するようにスケジューリングする。
【００６３】
ここで、スケジューリング情報は、スケジューリングセルにおけるＰＤＣＣＨを介してユーザ装置に送信されてもよいし、該アンライセンスバンドのセカンダリサービングセルにおけるＰＤＣＣＨを介してユーザ装置に送信されてもよい。
【００６４】
ステップ５０３：ユーザ装置は、アンライセンスバンドのセカンダリサービングセルでアップリンクデータを送信する。
【００６５】
ステップ５０４：基地局は、アンライセンスバンドのセカンダリサービングセルのスケジューリングセルでＰＨＩＣＨを送信する。
【００６６】
ステップ５０５：ユーザ装置は、該スケジューリングセルでＰＨＩＣＨを受信し、アップリンクＨＡＲＱのフィードバック情報を取得する。
【００６７】
本実施例では、基地局がユーザ装置のためにアンライセンスバンドにおけるセカンダリサービングセルを構成する際に、該ユーザ装置のために該セカンダリサービングセルに対応するスケジューリングセルを同時に構成し、即ち、該アンライセンスバンドにおけるセカンダリサービングセルがクロスキャリアスケジューリングの方式に固定的に構成されることを意味する。
【００６８】
該スケジューリングセルは、プライマリサービングセルであってもよいし、あるライセンスバンドにおけるあるセカンダリサービングセルであってもよい。このように、アンライセンスバンドにおけるセカンダリサービングセルについては、クロスキャリアスケジューリングの構成はオプションではなく、その出現条件として、基地局がユーザ装置のためにアンライセンスバンドにおけるキャリアを該ユーザ装置のセカンダリサービングセルとして構成する場合、クロスキャリアスケジューリングの構成は必須となり、一方、基地局が該ユーザ装置のために該アンライセンスバンドにおけるセカンダリサービングセルに対して他の構成を行う場合、クロスキャリアスケジューリングの構成は必要ではない。
【００６９】
本実施例では、ユーザ装置が該アンライセンスバンドのセカンダリサービングセルのアップリンクリソースのみにおいてＰＵＳＣＨを送信し、該ＰＵＳＣＨをスケジューリングするＰＤＣＣＨ及び該ＰＵＳＣＨにおける伝送データのＡＣＫ／ＮＡＣＫ情報をフィードバックするＰＨＩＣＨは、共に基地局により構成された該セカンダリサービングセルのスケジューリングセルのダウンリンクリソースで受信される。或いは、ユーザ装置は、該アンライセンスバンドのセカンダリサービングセルのダウンリンクリソースでＰＤＣＣＨを受信し、アップリンクリソースで該ＰＤＣＣＨによりスケジューリングされたＰＵＳＣＨを送信し、該ＰＵＳＣＨにおける伝送データのＡＣＫ／ＮＡＣＫ情報をフィードバックするＰＨＩＣＨは、基地局により構成された該セカンダリサービングセルのスケジューリングセルのダウンリンクリソースで受信される。
【００７０】
例えば、基地局がユーザ装置ＵＥ１のためにアンライセンスバンドのセカンダリサービングセルＳＣｅｌｌ  １を構成する場合、該Ｓｃｅｌｌ  １をクロスキャリアスケジューリングに構成し、且つＳｃｅｌｌ  １のスケジューリングセルをライセンスバンドにおけるプライマリサービングセル、即ちＰＣｅｌｌに構成する。このように、ＵＥ１はＰＣｅｌｌにおいてＳｃｅｌｌ  １に対応するＰＤＣＣＨをリスニングする。該ＰＤＣＣＨがＵＥ１のＳｃｅｌｌ  １におけるＰＵＳＣＨ伝送をスケジューリングした場合、ＵＥ１はＳｃｅｌｌ  １においてデータをキャリーしているＰＵＳＣＨを送信した後に、ＰＣｅｌｌにおいて対応するＰＨＩＣＨを受信する。或いは、ＵＥ１はＳＣｅｌｌ  １においてＰＤＣＣＨをリスニングする。該ＰＤＣＣＨがＵＥ１のＳｃｅｌｌ  １におけるＰＵＳＣＨ伝送をスケジューリングした場合、ＵＥ１はＳｃｅｌｌ  １においてデータをキャリーしているＰＵＳＣＨを送信した後に、ＰＣｅｌｌにおいて対応するＰＨＩＣＨを受信する。
【００７１】
本実施例によれば、ユーザ装置がアンライセンスバンドのサービングセルでアップリンクデータを送信した後に、該ユーザ装置の該アンライセンスバンドのサービングセルにおいて基地局がＰＨＩＣＨを送信するために必要なサブフレームが他のシステムにより占有されても、ユーザ装置が基地局のフィードバックを正しく受信することを確保できるため、基地局に望まれているアップリンクデータの伝送を行うことができる。
【００７２】
＜実施例４＞
本発明の実施例は、実施例２をベースとして、ライセンスバンドのサービングセルを一例にして説明する。
【００７３】
図６は本発明の実施例のＨＡＲＱフィードバックの取得方法の１つのフローチャートであり、基地局側の状況を示している。図６に示すように、該取得方法は以下のステップを含む。
【００７４】
ステップ６０１：基地局は、ユーザ装置によりアンライセンスバンドのセカンダリサービングセルで、且つあるアップリンクサブフレームにおいて送信されたアップリンクデータを受信する。
【００７５】
本実施例では、アンライセンスバンドのセカンダリサービングセルについて、ユーザ装置のために関連セルが構成され、ここで、該関連セルは、ライセンスバンドのサービングセルである。
【００７６】
例えば、ユーザ装置の該アンライセンスバンドのセカンダリサービングセルの関連セルは予め定義されてもよい。例えば、ユーザ装置のプライマリサービングセルであってもよいし、基地局により専用シグナリングを介して該ユーザ装置のために構成されてもよく、例えばユーザ装置の任意のライセンスバンドにおけるサービングセルであってもよい。後者の場合は、基地局は、ユーザ装置のために該アンライセンスバンドのセカンダリサービングセルを構成する際に、セカンダリサービングセルに対応する関連セルを同時に構成する。
【００７７】
ステップ６０２：基地局は、該アンライセンスバンドのセカンダリサービングセルにおいて該アップリンクサブフレームに対応するダウンリンクサブフレームが利用可能であるか否かを判断する。
【００７８】
具体的には、基地局は、該アンライセンスバンドのセカンダリサービングセルにおいてステップ６０１におけるアップリンクサブフレームとの関係が例えば参照文献［TS36.213, v12.3.0］に定義されたＨＡＲＱ時間シーケンス関係に合致するダウンリンクサブフレームが利用可能であるか否かを判断する。利用可能である場合はステップ６０３を実行し、利用可能ではない場合はステップ６０４を実行する。
【００７９】
ステップ６０３：基地局は、該アンライセンスバンドのセカンダリサービングセルで、且つ該アップリンクサブフレームに対応するダウンリンクサブフレームにおいて該アップリンクデータ伝送のハイブリッド自動再送フィードバックを送信する。
【００８０】
具体的には、基地局は、該アンライセンスバンドのセカンダリサービングセルで、ステップ６０１におけるアップリンクサブフレームとの関係が例えば参照文献［TS36.213, v12.3.0］に定義されたＨＡＲＱ時間シーケンス関係に合致するダウンリンクサブフレームにおいて該アップリンクデータ伝送のハイブリッド自動再送フィードバックを送信する。
【００８１】
ステップ６０４：基地局は、該アンライセンスバンドのセカンダリサービングセルの関連セルで、且つアップリンクサブフレームに対応するダウンリンクサブフレームにおいてＰＤＣＣＨを介して指示情報を送信する。
【００８２】
具体的には、基地局は、該アンライセンスバンドのセカンダリサービングセルの関連セルで、且つステップ６０１におけるアップリンクサブフレームとの関係が例えば参照文献［TS36.213, v12.3.0］に定義されたＨＡＲＱ時間シーケンス関係に合致するダウンリンクサブフレームにおいてＰＤＣＣＨを介して指示情報を送信する。
【００８３】
該指示情報は、ユーザ装置が基地局によりユーザ装置のために構成されたアンライセンスバンドのセカンダリサービングセルの関連セルで、且つステップ６０１におけるアップリンクサブフレームとの関係が例えば参照文献［TS36.213, v12.3.0］に定義されたＨＡＲＱ時間シーケンス関係に合致するダウンリンクサブフレームにおいて、ＰＨＩＣＨにおいて伝送されたステップ６０１におけるアップリンクデータ伝送へのハイブリッド自動再送フィードバック情報を受信することを指示するために用いられる。
【００８４】
ここで、該指示情報を送信する該ＰＤＣＣＨは、共通の無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によりスクランブルされてもよく、例えばＲＮＴＩを新たに定義し、該指示情報を伝送するＰＤＣＣＨをスクランブルしてもよい。或いは、ユーザ装置専用のＲＮＴＩによりスクランブルされてもよく、例えばＣ−ＲＮＴＩにより該指示情報を伝送するＰＤＣＣＨをスクランブルしてもよい。
【００８５】
該指示情報は、新たに定義されたダウンリンク制御情報（ＤＣＩ：Ｄｏｗｎｌｉｎｋ  Ｃｏｎｔｒｏｌ  Ｉｎｆｏｒｍａｔｉｏｎ）フォーマットで伝送されてもよいし、既存のダウンリンク制御情報フォーマットで伝送されてもよい。新たに定義されたダウンリンク制御情報フォーマットで伝送される場合、該指示情報は、他の制御情報と同一のダウンリンク制御情報フォーマットを共用してもよいし、ダウンリンク制御情報フォーマットを単独で用いてもよい。
【００８６】
該指示情報の内容は、セカンダリサービングセルのインデックス番号（ＳＣｅｌｌＩｎｄｅｘ）、又はセル物理ＩＤ（Ｐｈｙｓｉｃａｌ  Ｃｅｌｌ  Ｉｄｅｎｔｉｆｉｅｒ）を含んでもよい。該指示情報は、該ユーザ装置が該セカンダリサービングセルのインデックス値又は該セル物理ＩＤに対応するアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。
【００８７】
或いは、該指示情報は１ビットのみの情報である。ここで、該指示情報は、該ユーザ装置が、基地局により該ユーザ装置のために構成されたアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。なお、本発明は上記内容に限定されない。
【００８８】
図７は本発明の実施例のＨＡＲＱフィードバックの取得方法のもう１つのフローチャートである。図６の基地局側の状況に対応するように、図７はユーザ装置側の状況を示している。図７に示すように、該取得方法は以下のステップを含む。
【００８９】
ステップ７０１：ユーザ装置は、アンライセンスバンドのセカンダリサービングセルで、且つあるアップリンクサブフレームにおいてアップリンクデータを送信する。
【００９０】
ステップ７０２：ユーザ装置は、該アンライセンスバンドのセカンダリサービングセルの関連セルで、且つ該アップリンクサブフレームに対応するダウンリンクサブフレームにおいて指示情報を受信する。ここで、該指示情報は、ＰＤＣＣＨ（例えば、ここでＰＤＣＣＨ  １と称される）を介して伝送される。
【００９１】
具体的には、ユーザ装置は、アンライセンスバンドのセカンダリサービングセルの関連セルで、ステップ７０１におけるアップリンクサブフレームとの関係が例えば参照文献［TS36.213, v12.3.0］に定義されたＨＡＲＱ時間シーケンス関係に合致するダウンリンクサブフレームにおいて伝送されたＰＤＣＣＨ  １をリスニングし、復号する。
【００９２】
ここで、該アンライセンスバンドのセカンダリサービングセルの関連セルの決定方法としては、該アンライセンスバンドのセカンダリサービングセルの関連セルを該ユーザ装置のプライマリサービングセルに固定する場合、該アンライセンスバンドのセカンダリサービングセルの関連セルが該ユーザ装置のプライマリサービングセルであると決定し、該ライセンスバンドのセカンダリサービングセルの関連セルが基地局により専用シグナリングを介して構成されている場合は、基地局により送信された該専用シグナリングを受信し、該アンライセンスバンドのセカンダリサービングセルの関連セルが専用シグナリングにおいて指定されたサービングセルであると決定する。
【００９３】
具体的には、あるアップリンクサブフレームでは、ユーザ装置があるアンライセンスバンドのセカンダリサービングセルでデータをキャリーしているＰＵＳＣＨを送信する場合、ユーザ装置は、例えば参照文献［TS36.213, v12.3.0］に定義されたＨＡＲＱ時間シーケンス関係に基づいて、該ＰＵＳＣＨ伝送に対応するＰＨＩＣＨを受信する必要があるダウンリンクサブフレームを決定する。そして、該ユーザ装置は、該アンライセンスバンドのセカンダリサービングセルの関連セルで、且つ該ダウンリンクサブフレームにおいてＰＤＣＣＨ  １をリスニングする。
【００９４】
ステップ７０３：ユーザ装置は、該ＰＤＣＣＨ  １において伝送された該指示情報の受信に成功したか否かを決定する。該指示情報が受信された場合はステップ７０４を実行し、該受信情報が受信されていない場合はステップ７０５を実行する。
【００９５】
具体的には、ユーザ装置がＰＤＣＣＨ  １を復号して指示情報を取得し、該指示情報は該ユーザ装置が該アンライセンスバンドのセカンダリサービングセルの関連セルで、且つステップ７０１におけるアップリンクサブフレームとの関係が例えば参照文献［TS36.213, v12.3.0］に定義されたＨＡＲＱ時間シーケンス関係に合致するダウンリンクサブフレームにおいて、ＰＨＩＣＨにおいて伝送されたステップ７０１におけるアップリンクデータ伝送へのハイブリッド自動再送フィードバック情報を受信する必要があることを指示する場合、ユーザ装置は、該アンライセンスバンドのサービングセルの関連セルで該ダウンリンクサブフレームにおいて、対応するＰＨＩＣＨ、及びＣ−ＲＮＴＩによりスクランブルされたＰＤＣＣＨ（例えば、ここでＰＤＣＣＨ  ２と称される）をさらに復号し、該アンライセンスバンドのサービングセルで対応するダウンリンクサブフレームにおいてＣ−ＲＮＴＩによりスクランブルされたＰＤＣＣＨ及びＰＨＩＣＨを復号しない。
【００９６】
該指示情報を送信する該ＰＤＣＣＨ  １は、共通の無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によりスクランブルされてもよく、例えばＲＮＴＩを新たに定義し、該指示情報を伝送するＰＤＣＣＨ  １をスクランブルしてもよい。或いは、ユーザ装置専用のＲＮＴＩによりスクランブルされてもよく、例えばＣ−ＲＮＴＩにより該指示情報を伝送するＰＤＣＣＨ  １をスクランブルしてもよい。
【００９７】
該指示情報は、新たに定義されたダウンリンク制御情報（ＤＣＩ：Ｄｏｗｎｌｉｎｋ  Ｃｏｎｔｒｏｌ  Ｉｎｆｏｒｍａｔｉｏｎ）フォーマットで伝送されてもよいし、既存のダウンリンク制御情報フォーマットで伝送されてもよい。新たに定義されたダウンリンク制御情報フォーマットで伝送される場合、該指示情報は、他の制御情報と同一のダウンリンク制御情報フォーマットを共用してもよいし、ダウンリンク制御情報フォーマットを単独で用いてもよい。
【００９８】
該指示情報の内容は、セカンダリサービングセルのインデックス番号（ＳＣｅｌｌＩｎｄｅｘ）、又はセル物理ＩＤ（Ｐｈｙｓｉｃａｌ  Ｃｅｌｌ  Ｉｄｅｎｔｉｆｉｅｒ）を含んでもよい。該指示情報は、該ユーザ装置が該セカンダリサービングセルのインデックス値又は該セル物理ＩＤに対応するアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。
【００９９】
或いは、該指示情報は１ビットのみの情報である。ここで、該指示情報は、該ユーザ装置が、基地局により該ユーザ装置のために構成されたアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。なお、本発明は上記内容に限定されない。
【０１００】
ステップ７０４：ユーザ装置は、アンライセンスバンドのセカンダリサービングセルの関連セルで、対応するＰＨＩＣＨ及びＰＤＣＣＨ  ２を同時に復号する。
【０１０１】
ステップ７０５：ユーザ装置は、該アンライセンスバンドのセカンダリサービングセルでＰＤＣＣＨ及びＰＨＩＣＨを復号する。
【０１０２】
具体的には、ユーザ装置が復号により上記ＰＤＣＣＨ  １において伝送された該指示情報を取得していない場合、ユーザ装置は、通常動作として、アンライセンスバンドのセカンダリサービングセルで、且つステップ７０１におけるアップリンクサブフレームとの関係が例えば参照文献［TS36.213, v12.3.0］に定義されたＨＡＲＱ時間シーケンス関係に合致するダウンリンクサブフレームにおいてＰＤＣＣＨ及びＰＨＩＣＨを復号する。
【０１０３】
本実施例によれば、ユーザ装置がアンライセンスバンドのサービングセルでアップリンクデータを送信した後に、該ユーザ装置の該アンライセンスバンドのサービングセルにおいて基地局がＰＨＩＣＨを送信するために必要なサブフレームが他のシステムにより占有されても、ユーザ装置が基地局のフィードバックを正しく受信することを確保できるため、基地局に望まれているアップリンクデータの伝送を行うことができる。
【０１０４】
＜実施例５＞
本発明の実施例は、ユーザ装置に配置されるハイブリッド自動再送フィードバックの取得装置を提供する。本実施例は実施例１に対応するものであり、同様な内容についての説明を省略する。
【０１０５】
図８は本発明の実施例のＨＡＲＱフィードバックの取得装置の１つの構成を示す図であり、図８に示すように、取得装置８００は、データ送信部８０１、記録部８０２、サブフレーム決定部８０３及び復号部８０４を含む。
【０１０６】
データ送信部８０１は、アンライセンスバンドのセカンダリサービングセルで、且つあるアップリンクサブフレームにおいてアップリンクデータを送信する。
【０１０７】
記録部８０２は、ハイブリッド自動再送エンティティが該アップリンクデータの送信を要求する際に、該アップリンクデータの伝送のフィードバック状態を記録するための変数をＡＣＫに設定する。
【０１０８】
サブフレーム決定部８０３は、データ送信部８０１がデータを送信するアップリンクサブフレームに対応するダウンリンクサブフレームを決定する。ここで、該ダウンリンクサブフレームは、該アップリンクサブフレームとの関係が例えば参照文献［TS36.213, v12.3.0］に定義されたＨＡＲＱ時間シーケンス関係に合致するダウンリンクサブフレームである。
【０１０９】
復号部８０４は、アンライセンスバンドのセカンダリサービングセルで、且つ該アップリンクサブフレームにおいてアップリンクデータが送信された場合、該アンライセンスバンドのセカンダリサービングセルで、且つ該アップリンクサブフレームに対応するダウンリンクサブフレームにおいてＰＤＣＣＨをリスニングし、復号し、ＰＨＩＣＨを復号しない。
【０１１０】
本実施例では、ユーザ装置は、復号されたＰＤＣＣＨにおける情報に基づいて次の伝送動作、即ち新たなデータを伝送する必要があるか、前回のデータ伝送の適応再送を行うか、それともいずれのデータ伝送を行わないかを判断してもよい。
【０１１１】
図８に示すように、取得装置８００は伝送決定部８０５をさらに含んでもよい。
【０１１２】
伝送決定部８０５は、該ＰＤＣＣＨを復号して該ユーザ装置をスケジューリングするアップリンクグラントが得られた場合、該アップリンクグラントにおける指示に従ってアップリンクデータの伝送を決定し、該アップリンクグラントが得られていない場合、アップリンクデータの伝送を行わないことを決定する。
【０１１３】
ここで、記録部８０２は、アップリンクデータの伝送を行わないことが決定された場合、アップリンク再送回数を記録する変数の値、アップリンク再送バージョン番号を記録する変数の値、及び該アップリンクデータの伝送のフィードバック状態を記録する変数の値をそのまま維持してもよい。
【０１１４】
本発明の実施例は、上記ＨＡＲＱフィードバックの取得装置８００が配置されたユーザ装置をさらに提供する。
【０１１５】
図９は本発明の実施例のユーザ装置９００のシステム構成を示すブロック図である。図９に示すように、ユーザ装置９００は、中央処理装置１００及び記憶装置１４０を含んでもよく、記憶装置１４０は中央処理装置１０に接続される。なお、該図は単なる例示的なものであり、電気通信機能又は他の機能を実現するように、他の種類の構成を用いて、該構成を補充又は代替してもよい。
【０１１６】
１つの態様では、取得装置８００の機能は中央処理装置１００に統合されてもよい。ここで、中央処理装置１００は、実施例１に記載されたアップリンクハイブリッド自動再送フィードバックの取得方法を実現するように構成されてもよい。
【０１１７】
もう１つの態様では、取得装置８００は中央処理装置１００とそれぞれ構成されてもよく、例えば取得装置８００は中央処理装置１００に接続されたチップであり、中央処理装置１００の制御により取得装置８００の機能を実現してもよい。
【０１１８】
図９に示すように、ユーザ装置９００は、通信モジュール１１０、入力部１２０、音声処理装置１３０、ディスプレイ１６０、及び電源１７０をさらに含んでもよい。なお、ユーザ装置９００は図９に示す全てのユニットを含む必要がない。また、ユーザ装置９００は、図９に示されていないユニットをさらに含んでもよく、従来技術を参照してもよい。
【０１１９】
図９に示すように、中央処理装置１００は、コントローラ又は操作制御部とも称され、マイクロプロセッサ又は他の処理装置及び／又は論理装置を含んでもよく、中央処理装置１００は入力を受信し、ユーザ装置９００の各部の操作を制御する。
【０１２０】
ここで、記憶装置１４０は、例えばバッファ、フラッシュメモリ、ハードディスク、移動可能な媒体、発揮性メモリ、不発揮性メモリ、又は他の適切な装置の１つ又は複数であってもよい。上記障害に関する情報を記憶してもよいし、関連情報を実行するためのプログラムをさらに記憶してもよい。また、中央処理装置１００は、記憶装置１４０に記憶されたプログラムを実行し、情報の記憶又は処理などを実現してもよい。他の部材は従来技術に類似するため、ここでその説明が省略される。端末装置８００の各部は、本発明の範囲から逸脱することなく、特定のハードウェア、ファームウェア、ソフトウェア又はその組み合わせによって実現されてもよい。
【０１２１】
本実施例によれば、ユーザ装置がアンライセンスバンドのサービングセルでアップリンクデータを送信した後に、該ユーザ装置の該アンライセンスバンドのサービングセルにおいて基地局がＰＨＩＣＨを送信するために必要なサブフレームが他のシステムにより占有されても、ユーザ装置が基地局のフィードバックを正しく受信することを確保できるため、基地局に望まれているアップリンクデータの伝送を行うことができる。
【０１２２】
＜実施例６＞
本発明の実施例は、ＨＡＲＱフィードバックの取得装置を提供する。本実施例は実施例２に対応するものであり、同様な内容についての説明を省略する。
【０１２３】
図１０は本発明の実施例のＨＡＲＱフィードバックの取得装置の１つの構成を示す図であり、該装置は基地局に配置されてもよい。図１０に示すように、取得装置１０００は構成部１００１を含む。
【０１２４】
構成部１００１は、ユーザ装置がアンライセンスバンドのセカンダリサービングセルにおいてアップリンクデータを送信する場合に該セカンダリサービングセルの関連セルにおいてアップリンクハイブリッド自動再送のフィードバック情報を取得するように、該ユーザ装置のために該アンライセンスバンドのセカンダリサービングセルを構成し、該ユーザ装置のために該関連セルを構成する。
【０１２５】
本実施例は、上記ＨＡＲＱフィードバックの取得装置１０００が配置された基地局をさらに提供する。
【０１２６】
図１１は本発明の実施例の基地局の１つの構成を示す図である。図１１に示すように、基地局１１００は、中央処理装置（ＣＰＵ）２００及び記憶装置２１０を含んでもよく、記憶装置２１０は中央処理装置２００に接続される。記憶装置２１０は、各種のデータを記憶してもよいし、情報処理のプログラムをさらに記憶してもよい。中央処理装置２００の制御で該プログラムが実行され、該ユーザ装置により送信された各種の情報を受信し、ユーザ装置に要求情報を送信する。
【０１２７】
ここで、中央処理装置２００は、ＨＡＲＱフィードバックの取得装置１０００の機能を実現するように構成されてもよい。
【０１２８】
また、図１１に示すように、基地局１１００は、送受信機２２０及びアンテナ２３０等をさらに含んでもよい。ここで、上記部材の機能は従来技術と類似し、ここでその説明を省略する。なお、基地局１１００は図１１に示す全てのユニットを含む必要がない。また、基地局１１００は、図１１に示されていないユニットをさらに含んでもよく、従来技術を参照してもよい。
【０１２９】
本実施例によれば、ユーザ装置がアンライセンスバンドのサービングセルでアップリンクデータを送信した後に、該ユーザ装置の該アンライセンスバンドのサービングセルにおいて基地局がＰＨＩＣＨを送信するために必要なサブフレームが他のシステムにより占有されても、ユーザ装置が基地局のフィードバックを正しく受信することを確保できるため、基地局に望まれているアップリンクデータの伝送を行うことができる。
【０１３０】
＜実施例７＞
本発明の実施例は、ＨＡＲＱフィードバックの取得装置を提供する。本実施例は実施例３に対応するものであり、同様な内容についての説明を省略する。
【０１３１】
本実施例では、該関連セルは、該アンライセンスバンドのセカンダリサービングセルのスケジューリングセルである。該ＨＡＲＱフィードバックの取得装置の構成は図１０に示すものであってもよく、該構成部１００１は、該ユーザ装置のために該アンライセンスバンドのセカンダリサービングセルを構成する際に、該ユーザ装置のために該セカンダリサービングセルのスケジューリングセルを構成する。
【０１３２】
本実施例では、基地局がユーザ装置のためにアンライセンスバンドにおけるセカンダリサービングセルを構成する際に、該ユーザ装置のために該セカンダリサービングセルに対応するスケジューリングセルを同時に構成し、即ち、該アンライセンスバンドにおけるセカンダリサービングセルがクロスキャリアスケジューリングの方式に固定的に構成されることを意味する。
【０１３３】
該スケジューリングセルは、プライマリサービングセルであってもよいし、あるライセンスバンドにおけるあるセカンダリサービングセルであってもよい。このように、アンライセンスバンドにおけるセカンダリサービングセルについては、クロスキャリアスケジューリングの構成はオプションではなく、その出現条件として、基地局がユーザ装置のためにアンライセンスバンドにおけるキャリアを該ユーザ装置のセカンダリサービングセルとして構成する場合、クロスキャリアスケジューリングの構成は必須となり、一方、基地局が該ユーザ装置のために該アンライセンスバンドにおけるセカンダリサービングセルに対して他の構成を行う場合、クロスキャリアスケジューリングの構成は必要ではない。
【０１３４】
本実施例は、上記のＨＡＲＱフィードバック装置１０００が配置された基地局をさらに提供する。ここで、中央処理装置２００は、本実施例の構成部１００１の機能を実現するように構成されてもよい。本発明の実施例の基地局の構成は図１１に示すものであってもよい。
【０１３５】
本実施例によれば、ユーザ装置がアンライセンスバンドのサービングセルでアップリンクデータを送信した後に、該ユーザ装置の該アンライセンスバンドのサービングセルにおいて基地局がＰＨＩＣＨを送信するために必要なサブフレームが他のシステムにより占有されても、ユーザ装置が基地局のフィードバックを正しく受信することを確保できるため、基地局に望まれているアップリンクデータの伝送を行うことができる。
【０１３６】
＜実施例８＞
本発明の実施例は、ＨＡＲＱフィードバックの取得装置を提供する。本実施例は実施例４に対応するものであり、同様な内容についての説明を省略する。
【０１３７】
本実施例では、該関連セルはライセンスバンドのサービングセルである。ここで、該ライセンスバンドのサービングセルは該ユーザ装置のプライマリサービングセルであり、或いは、専用シグナリングを介して該ユーザ装置のために該アンライセンスバンドのセカンダリサービングセルを構成する際に、該ライセンスバンドのサービングセルを同時に構成する。
【０１３８】
図１２は本発明の実施例のＨＡＲＱフィードバックの取得装置のもう１つの構成を示す図であり、該ＨＡＲＱフィードバックの取得装置１２００は基地局に配置される。図１２に示すように、取得装置１２００は上記の構成部１００１を含む。
【０１３９】
図１２に示すように、取得装置１２００は、データ受信部１２０１、サブフレーム判断部１２０２、情報生成部１２０３、及び情報送信部１２０４をさらに含んでもよい。
【０１４０】
データ受信部１２０１は、ユーザ装置により該アンライセンスバンドのセカンダリサービングセルで、且つあるアップリンクサブフレームにおいて送信されたアップリンクデータを受信する。
【０１４１】
サブフレーム判断部１２０２は、ユーザ装置により該アンライセンスバンドのセカンダリサービングセルで、且つ該アップリンクサブフレームにおいて送信されたアップリンクデータを受信した後に、該アンライセンスバンドのセカンダリサービングセルにおいて該アップリンクサブフレームに対応するダウンリンクサブフレームが利用可能であるか否かを判断する。
【０１４２】
該ダウンリンクサブフレームは、データ受信部１２０１が該アップリンクを受信するアップリンクサブフレームとの関係が例えば参照文献［TS36.213, v12.3.0］に定義されたＨＡＲＱ時間シーケンス関係に合致するダウンリンクサブフレームである。
【０１４３】
情報生成部１２０３は、該アンライセンスバンドのセカンダリサービングセルにおいて該アップリンクサブフレームに対応するダウンリンクサブフレームが利用可能ではない場合、指示情報を生成する。
【０１４４】
該指示情報は、ユーザ装置が該アンライセンスバンドのセカンダリサービングセルの関連セルで、対応するダウンリンクサブフレームにおいて、ＰＨＩＣＨにおいて伝送された該アップリンクデータ伝送へのハイブリッド自動再送フィードバック情報を受信することを指示するために用いられる。
【０１４５】
該指示情報は、新たに定義されたダウンリンク制御情報（ＤＣＩ：Ｄｏｗｎｌｉｎｋ  Ｃｏｎｔｒｏｌ  Ｉｎｆｏｒｍａｔｉｏｎ）フォーマットで伝送されてもよいし、既存のダウンリンク制御情報フォーマットで伝送されてもよい。新たに定義されたダウンリンク制御情報フォーマットで伝送される場合、該指示情報は、他の制御情報と同一のダウンリンク制御情報フォーマットを共用してもよいし、ダウンリンク制御情報フォーマットを単独で用いてもよい。
【０１４６】
該指示情報の内容は、セカンダリサービングセルのインデックス番号（ＳＣｅｌｌＩｎｄｅｘ）、又はセル物理ＩＤ（Ｐｈｙｓｉｃａｌ  Ｃｅｌｌ  Ｉｄｅｎｔｉｆｉｅｒ）を含んでもよい。該指示情報は、該ユーザ装置が該セカンダリサービングセルのインデックス値又は該セル物理ＩＤに対応するアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。
【０１４７】
或いは、該指示情報は１ビットのみの情報である。ここで、該指示情報は、該ユーザ装置が、基地局により該ユーザ装置のために構成されたアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。なお、本発明は上記内容に限定されない。
【０１４８】
情報送信部１２０４は、構成部１００１で構成された該アンライセンスバンドのセカンダリサービングセルの関連セルで、且つ該アップリンクサブフレームに対応するダウンリンクサブフレームにおいて、該指示情報をＰＤＣＣＨでキャリーして送信する。
【０１４９】
ここで、該指示情報を送信する該ＰＤＣＣＨは、共通の無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によりスクランブルされてもよく、例えばＲＮＴＩを新たに定義し、該指示情報を伝送するＰＤＣＣＨをスクランブルしてもよい。或いは、ユーザ装置専用のＲＮＴＩによりスクランブルされてもよく、例えばＣ−ＲＮＴＩにより該指示情報を伝送するＰＤＣＣＨをスクランブルしてもよい。
【０１５０】
本発明は、上記のＨＡＲＱフィードバックの取得装置１２００が配置された基地局をさらに提供する。本発明の実施例の基地局の構成は図１１に示すものであってもよい。
【０１５１】
図１３は本発明の実施例のＨＡＲＱフィードバックの取得装置のもう１つの構成を示す図であり、該ＨＡＲＱフィードバックの取得装置１３００はユーザ装置に配置される。図１３に示すように、データ送信部１３０１、サブフレーム決定部１３０２、情報受信部１３０３、及び復号部１３０４を含む。
【０１５２】
データ送信部１３０１は、アンライセンスバンドのセカンダリサービングセルで、且つあるアップリンクサブフレームにおいてアップリンクデータを送信する。
【０１５３】
サブフレーム決定部１３０２は、データ送信部１３０１がデータを送信するためのアップリンクサブフレームに対応するダウンリンクサブフレームを決定する。ここで、該ダウンリンクサブフレームは、該アップリンクサブフレームとの関係が例えば参照文献［TS36.213, v12.3.0］に定義されたＨＡＲＱ時間シーケンス関係に合致するダウンリンクサブフレームである。
【０１５４】
情報受信部１３０３は、関連セルにおけるダウンリンクサブフレームにおいてＰＤＣＣＨをリスニングする。ここで、該関連セルは、該ユーザ装置のプライマリサービングセルに固定されてもよいし、基地局により送信された専用シグナリングを受信することで構成されたライセンスバンドのサービングセルであってもよい。該ダウンリンクサブフレームは、該サブフレーム決定部１３０２で決定されたダウンリンクサブフレームである。
【０１５５】
ここで、該ＰＤＣＣＨは、共通の無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によりスクランブルされてもよく、例えばＲＮＴＩを新たに定義し、該指示情報を伝送するＰＤＣＣＨをスクランブルしてもよい。或いは、ユーザ装置専用のＲＮＴＩによりスクランブルされてもよく、例えばＣ−ＲＮＴＩにより該指示情報を伝送するＰＤＣＣＨをスクランブルしてもよい。
【０１５６】
復号部１３０４は、該ＰＤＣＣＨを受信して該ＰＤＣＣＨを復号して指示情報を取得した場合、該アンライセンスバンドのセカンダリサービングセルの関連セルで、且つ該ダウンリンクサブフレームにおいてＰＨＩＣＨ及びＰＤＣＣＨを同時に復号し、該指示情報を取得していない場合、該アンライセンスバンドのセカンダリサービングセルで、且つ該ダウンリンクサブフレームにおいてＰＤＣＣＨ及びＰＨＩＣＨを復号する。
【０１５７】
該指示情報は、ユーザ装置が該アンライセンスバンドのセカンダリサービングセルの関連セルで、且つ対応するダウンリンクサブフレームにおいて、ＰＨＩＣＨにおいて伝送された該アップリンクデータ伝送へのハイブリッド自動再送フィードバック情報を受信する必要があることを指示するために用いられる。
【０１５８】
該指示情報は、新たに定義されたダウンリンク制御情報フォーマットで伝送されてもよいし、既存のダウンリンク制御情報フォーマットで伝送されてもよい。新たに定義されたダウンリンク制御情報フォーマットで伝送される場合、該指示情報は、他の制御情報と同一のダウンリンク制御情報フォーマットを共用してもよいし、ダウンリンク制御情報フォーマットを単独で用いてもよい。
【０１５９】
該指示情報の内容は、セカンダリサービングセルのインデックス番号（ＳＣｅｌｌＩｎｄｅｘ）、又はセル物理ＩＤ（Ｐｈｙｓｉｃａｌ  Ｃｅｌｌ  Ｉｄｅｎｔｉｆｉｅｒ）を含んでもよい。該指示情報は、該ユーザ装置が該セカンダリサービングセルのインデックス値又は該セル物理ＩＤに対応するアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。
【０１６０】
或いは、該指示情報は１ビットのみの情報である。ここで、該指示情報は、該ユーザ装置が、基地局により該ユーザ装置のために構成されたアンライセンスバンドのセカンダリサービングセルの関連セルで、且つ該アップリンクサブフレームに対応するダウンリンクサブフレームにおいて、ＰＨＩＣＨにおいて伝送された該アップリンクデータについてのハイブリッド自動再送フィードバック情報を受信する必要があることを指示する。なお、本発明は上記内容に限定されない。
【０１６１】
図１３に示すように、取得装置１３００は、関連セル決定部１３０５をさらに含んでもよい。
【０１６２】
関連セル決定部１３０５は、該アンライセンスバンドのセカンダリサービングセルの関連セルを該ユーザ装置のプライマリサービングセルに固定する場合、該アンライセンスバンドのセカンダリサービングセルの関連セルが該ユーザ装置のプライマリサービングセルであると決定し、該ライセンスバンドのセカンダリサービングセルの関連セルが基地局により専用シグナリングを介して構成されている場合は、基地局により送信された該専用シグナリングを受信し、該アンライセンスバンドのセカンダリサービングセルの関連セルが専用シグナリングにおいて指定されたサービングセルであると決定する。
【０１６３】
本実施例は、上記のＨＡＲＱフィードバックの取得装置１３００が配置されたユーザ装置をさらに提供する。本発明の実施例のユーザ装置の構成は図９に示すものであってもよい。
【０１６４】
本実施例では、上述したように、基地局が該アンライセンスバンドのセカンダリサービングセルにおいてダウンリンクのチャネルを用いることができない場合、該ライセンスバンドのサービングセルにおいてＰＤＣＣＨを送信する。また、アンライセンスバンドのセカンダリサービングセルについて、ユーザ装置のためにライセンスバンドのサービングセルが構成されている。
【０１６５】
本実施例によれば、ユーザ装置がアンライセンスバンドのサービングセルでアップリンクデータを送信した後に、該ユーザ装置の該アンライセンスバンドのサービングセルにおいて基地局がＰＨＩＣＨを送信するために必要なサブフレームが他のシステムにより占有されても、ユーザ装置が基地局のフィードバックを正しく受信することを確保できるため、基地局に望まれているアップリンクデータの伝送を行うことができる。
【０１６６】
＜実施例９＞
本発明の実施例は通信システムをさらに提供し、図１４は本発明の実施例の通信システムの１つの構成を示す図である。図１４に示すように、通信システム１４００は、基地局１４０１及びユーザ装置１４０２を含む。
【０１６７】
１つの態様では、基地局１４０１には、実施例６、７に記載されたＨＡＲＱフィードバックの取得装置１０００又は実施例８に記載されたＨＡＲＱフィードバックの取得装置１２００が配置されている。基地局１４０１は、実施例２乃至４に記載されたＨＡＲＱフィードバックの取得方法を実行してもよい。
【０１６８】
もう１つの態様では、ユーザ装置１４０２には、実施例５に記載されたＨＡＲＱフィードバックの取得装置８００が配置され、ユーザ装置１４０２は、実施例１に記載されたＨＡＲＱフィードバックの取得方法を実行してもよい。或いは、ユーザ装置１４０２には、実施例８に記載されたＨＡＲＱフィードバックの取得装置１３００が配置され、ユーザ装置１４０２は、実施例４に記載されたＨＡＲＱフィードバックの取得方法を実行してもよい。
【０１６９】
本発明の実施例は、基地局においてプログラムを実行する際に、コンピュータに、上記実施例２乃至４に記載のＨＡＲＱフィードバックの取得方法を該基地局において実行させる、コンピュータ読み取り可能なプログラムをさらに提供する。
【０１７０】
本発明の実施例は、コンピュータに、上記実施例２乃至４に記載のＨＡＲＱフィードバックの取得方法を基地局において実行させるためのコンピュータ読み取り可能なプログラムを記憶する、記憶媒体をさらに提供する。
【０１７１】
本発明の実施例は、ユーザ装置においてプログラムを実行する際に、コンピュータに、上記実施例１に記載のＨＡＲＱフィードバックの取得方法を該ユーザ装置において実行させる、コンピュータ読み取り可能なプログラムをさらに提供する。
【０１７２】
本発明の実施例は、コンピュータに、上記実施例１に記載のＨＡＲＱフィードバックの取得方法をユーザ装置において実行させるためのコンピュータ読み取り可能なプログラムを記憶する、記憶媒体をさらに提供する。
【０１７３】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１７４】
一つ以上の機能ブロックおよび/または添付の図面内の機能ブロックの一つ以上の組合せは、汎用プロセッサ、デジタル信号プロセッサ（ＤＳＰ）、特定用途向け集積回路（ＡＳＩＣ）、フィールド・プログラマブル・ゲートとして実現されてもよいアレイ（ＦＰＧＡ）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、ＤＳＰとマイクロプロセッサの組み合わせとして、コンピューティング機器の組み合わせとして通信ＤＳＰと組み合わせて、または任意の他のそのような構成における1つまたは複数のマイクロプロセッサ、複数のプロセッサを実現することができる。
【０１７５】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2017536757.tif 000003
【図２】
2017536757.tif 000004
【図３】
2017536757.tif 000005
【図４】
2017536757.tif 000006
【図５】
2017536757.tif 000007
【図６】
2017536757.tif 000008
【図７】
2017536757.tif 000009
【図８】
2017536757.tif 000010
【図９】
2017536757.tif 000011
【図１０】
2017536757.tif 000012
【図１１】
2017536757.tif 000013
【図１２】
2017536757.tif 000014
【図１３】
2017536757.tif 000015
【図１４】
2017536757.tif 000016
【国際調査報告】
2017536757.tif 000017
2017536757.tif 000018
2017536757.tif 000019
2017536757.tif 000020